(57)【要約】【課題】加飾リングの表示に変化を与え、視認者に驚きや楽しみを与える表示を実現することが可能な指針計器を提供する。【解決手段】指針計器１は、文字盤２と、文字盤２の表面に沿って回動する指針３と、文字盤２の表面において指針３の先端部３２の回動軌跡の外周に配置された加飾部材６とを備える。指針３は、その基部３１側より導入した照明光を先端部３２から出射させる構造を有し、加飾部材６は、先端部３２から出射した光を受けて反射像Ａ，Ｂが投影される反射部６１を有する。また、加飾部材６は、反射像Ａ，Ｂを変化させる凹部６２と凸部６３の少なくとも一方を反射部６１に有する。これにより、指針計器１において、視認者に驚きや楽しみを与える表示を実現できる。【選択図】  図２
2006145496.tif 000002
【特許請求の範囲】
【請求項１】
文字盤と、
前記文字盤の表面に沿って回動し、基部側より導入した照明光を先端部から出射させる構造を有する指針と、
前記文字盤の前記表面において前記指針の前記先端部の回動軌跡の外周に配置され、該先端部から出射した光を受けて反射像が投影される反射部を有する加飾部材とを備え、
前記加飾部材は、投影される前記反射像を変化させる凹部と凸部の少なくとも一方を前記反射部に有することを特徴とする指針計器。
【請求項２】
前記凹部と前記凸部の少なくとも一方は、前記反射像の形状と色調と前後方向の投影位置の少なくとも一つを識別可能に変化させることを特徴とする請求項１に記載の指針計器。
【請求項３】
前記凹部と前記凸部の少なくとも一方と隣り合う前記反射部の各々は、前記反射像の形状と色調の少なくとも一方が互いに異なるように形成されることを特徴とする請求項１または請求項２に記載の指針計器。
【請求項４】
前記凹部と前記凸部の少なくとも一方が、前記反射部の異なる複数の位置に設けられ、
前記凹部と前記凸部の少なくとも一方に対応した複数の位置にある前記反射部の各々は、前記反射像の形状と色調の少なくとも一方が互いに異なるように形成されることを特徴とする請求項１ないし請求項３のいずれか一項に記載の指針計器。
【請求項５】
前記凹部と前記凸部の少なくとも一方は目盛の形状を有することを特徴とする請求項１ないし請求項４のいずれか一項に記載の指針計器。
【請求項６】
前記文字盤の背後に配置された光源を備え、
前記指針は、前記光源の発する光を前記基部側より導入することを特徴とする請求項１ないし請求項５のいずれか一項に記載の指針計器。
【発明の詳細な説明】
【技術分野】
【０００１】
本発明は、導入した照明光を先端部から出射させる指針を有する指針計器に関するものである。
【背景技術】
【０００２】
近年、指針計器として、見映えのある斬新な視認性を実現するために、様々な方法が提案され、その一つとして、導入した照明光を先端部から出射させる指針を有する指針計器に関するものがある。
【０００３】
これは、導入した照明光を先端部から加飾リングへ出射させることにより、加飾リング上に指示像を投影させる指針計器である（特許文献１を参照）。
【０００４】
具体的には、指針の先端部を、この先端部から出射した光を加飾リングの投影面に集光させる凸レンズとして形成する。これにより、加飾リング上に指示像をくっきりと投影させ、その結果、見映えのある表示デザインを実現できる。
【特許文献１】特許３４５７１４２号公報
【発明の開示】
【発明が解決しようとする課題】
【０００５】
しかし、特許文献１による指針計器では、指針の先端部の回動位置に従って、加飾リング上に指示像が動くのみという単調なものであり、視認者に驚きや楽しみを与えるものではない。
【０００６】
本発明は、上記問題点に鑑みてなされたものであり、加飾リングの表示に変化を与え、視認者に驚きや楽しみを与える表示を実現することが可能な指針計器を提供することを目的とする。
【課題を解決するための手段】
【０００７】
本発明は上記目的を達成するため、以下の技術的手段を採用する。
【０００８】
請求項１に記載の指針計器は、文字盤と、文字盤の表面に沿って回動すると共に基部側より導入した照明光を先端部から出射させる構造を有する指針と、文字盤の表面において指針の先端部の回動軌跡の外周に配置されると共に先端部から出射した光を受けて反射像が投影される反射部を有する加飾部材とを備え、加飾部材が投影される反射像を変化させる凹部と凸部の少なくとも一方を反射部に有する構成とする。
【０００９】
この構成では、指針が導入した照明光を先端部から出射させる構造を有し、加飾部材が先端部からの出射光を受けて反射像が投影される反射部を有し、この反射像を変化させる凹部と凸部の少なくとも一方が反射部に設けられる。これにより、反射部の凹部と凸部の少なくとも一方によって、先端部からの出射光を受けて反射部に投影される反射像が変化するため、視認者に驚きや楽しみを与える表示を実現できる。
【００１０】
請求項２に記載の指針計器は、凹部と凸部の少なくとも一方が反射像の形状と色調と前後方向の投影位置の少なくとも一つを識別可能に変化させる構成とする。
【００１１】
この構成では、凹部と凸部の少なくとも一方が反射像の形状と色調と前後方向の投影位置の少なくとも一つを識別可能に変化させるため、視認者にさらに驚きや楽しみを与える表示を実現できる。
【００１２】
請求項３に記載の指針計器は、凹部と凸部の少なくとも一方と隣り合う反射部の各々が反射像の形状と色調の少なくとも一方が互いに異なるように形成される構成とする。
【００１３】
この構成では、凹部と凸部の少なくとも一方と隣り合う反射部の各々に投影される反射像が、その形状と色調の少なくとも一方において互いに異なる。これにより、反射像を、形状的または色調的に変化させることができ、このため、視認者にさらに驚きや楽しみを与える表示を実現できる。
【００１４】
請求項４に記載の指針計器は、凹部と凸部の少なくとも一方が反射部の異なる複数の位置に設けられ、凹部と凸部の少なくとも一方に対応した複数の位置にある反射部の各々が反射像の形状と色調の少なくとも一方が互いに異なるように形成される構成とする。
【００１５】
この構成では、凹部と凸部の少なくとも一方に対応した複数の位置にある反射部の各々に投影される反射像が、その形状と色調の少なくとも一方において互いに異なる。これにより、凹部と凸部の少なくとも一方に対応した複数の位置にある反射部の各々で、反射像の形状または色調を変化させることができ、このため、視認者にさらに驚きや楽しみを与える表示を実現できる。
【００１６】
請求項５に記載の指針計器は、凹部と凸部の少なくとも一方が目盛の形状を有する構成とする。
【００１７】
この構成では、凹部と凸部の少なくとも一方が目盛の形状を有するため、目盛に対して上述の効果を得ることができる。
【００１８】
請求項６に記載の指針計器は、文字盤の背後に配置された光源を備え、指針が光源の発する光を基部側より導入する構成とする。
【００１９】
この構成では、光源を文字盤の背後に配置するため、簡易に上述の効果を得ることができる。
【発明を実施するための最良の形態】
【００２０】
以下、本発明による指針計器を、自動車に搭載されるコンビネーションメータ１に適用した場合を例に図面に基づいて説明する。
【００２１】
（第１実施形態）
図１は、本発明の第１実施形態による指針計器であるコンビネーションメータ１の正面図である。図１の矢印が示す上下方向が自動車の上下方向と同じである。
【００２２】
図２は、図１中のＩＩ−ＩＩ線断面図である。
【００２３】
図３は、本発明の第１実施形態によるコンビネーションメータ１の電気回路構成を説明する回路構成図である。
【００２４】
指針計器であるコンビネーションメータ１は、自動車の運転席前方に配置されて当該自動車に関する各種情報を表示する。
【００２５】
本実施形態によるコンビネーションメータ１は、図１に示すように、エンジンの回転数を表示する回転計を構成する。
【００２６】
コンビネーションメータ１は、情報を表示して運転者に視認させるための文字盤２を備え、文字盤２は、透光性を有する材料、例えば透明なポリカーボネート樹脂等の板材から形成される。
【００２７】
文字盤２の表面または裏面には、文字（数字を含む）２１と目盛２２が透光状態になるように、これらの文字２１と目盛２２の背景部分がつや消しの不透光状態（または、つや消しの透光性が低い状態）になるように印刷あるいはホットスタンプ等を施して形成される。
【００２８】
文字盤２には、図２に示すように、後述するムーブメント５のシャフト５１を挿通させるための貫通孔２３が設けられ、文字盤２の背後（図２の矢印が示す右側）には、リフレクタ９、ムーブメント５、光源である発光ダイオード７、発光ダイオード８、およびプリント基板１１が配置される。プリント基板１１は、コンビネーションメータ１の電気回路部を構成するものであり、ムーブメント５と発光ダイオード７、８は、プリント基板１１に実装される。
【００２９】
ムーブメント５は、例えば交差コイル式アクチュエータ、あるいはステッピングモータ等から構成され、外部からの電気信号（本実施形態においてはエンジン回転数に関する信号）に対応した角度だけシャフト５１を回動させるものである。シャフト５１は、文字盤２の貫通孔２３を通して前面側、つまり図２の矢印が示す左側へ延出し、その先端に指針３が固定される。
【００３０】
リフレクタ９は、発光ダイオード７からの例えば白色光を指針３へ導くものであり、発光ダイオード８からの例えば白色光を文字盤２の文字２１と目盛２２とへ導くものである。
【００３１】
指針３は、例えば無色透明のアクリル樹脂等により形成され、その下面（図２の矢印が示す右側）に反射層３３が形成される。反射層３３は、例えば赤色の塗装面で、リフレクタ９により導かれた発光ダイオード７からの白色光によって、指針３を赤色で発光表示させるものである。
【００３２】
また、指針３の基部３１には、発光ダイオード７からの白色光を先端部３２へ反射する反射面３１ａが設けられる。指針３は、発光ダイオード７からの白色光を先端部３２から出射するように構成される。
【００３３】
指針３には、遮光キャップ４が装着される。遮光キャップ４は、例えば遮光性を有する樹脂あるいは金属等から形成され、発光ダイオード７の光が、運転者の目に直接入射することを防止するものである。
【００３４】
文字盤２は、リフレクタ９により導かれた発光ダイオード８からの白色光によって、文字２１と目盛２２（図１）が例えば白色で発光表示されるように構成され、文字２１と目盛２２の背景部分が例えば青色表示されるように構成される。但し、高回転域の目盛２２ａは、例えば赤色表示されるように構成される。尚、光拡散板１０は、発光ダイオード８の白色光を文字盤２へ均一に導くものである。
【００３５】
本発明の特徴である加飾部材である加飾リング６は、図１と図２に示すように、文字盤２の前面（図２の矢印に示す左側の面）において目盛２２の外周に、アクリロニトリル・ブタジエン・スチレン（ＡＢＳ）樹脂等でリング形状に形成される。また、その表面にクロム等を蒸着またはメッキ処理等をして、加飾リング６を金属調に形成する。尚、金属調の代わりに黒色等としてもよい。尚、加飾リング６は、文字盤２に対して接着剤や引っ掛け等で固定される。
【００３６】
また、反射部６１が加飾リング６の内側面にリング状に設けられ、凹部６２が反射部６１に設けられる。図１では、凹部６２を目盛２２の位置に配置させているが、これと異なる位置に配置させてもよい。尚、凹部６２を形成後に表面処理を行い、凹部６２も金属調に設けられる。
【００３７】
図２に示すように、凹部６２は、反射部６１を図中の矢印に示す上方へ凹ませたものであり、反射部６１の一部を構成するものである。
【００３８】
反射部６１と凹部６２の両者は、指針３の先端部３２から出射した発光ダイオード７からの白色光を、加飾リング６の前面側（図２の矢印に示す左側の方向）へ反射するものである。即ち、反射部６１と凹部６２の両者は、指針３の先端部３２から出射した発光ダイオード７からの白色光を受けることによって、反射像が投影されるものである。
【００３９】
以上説明した本実施形態によるコンビネーションメータ１の電気回路構成について、図３に基づいて説明する。
【００４０】
マイクロコンピュータ等から構成される制御装置１２には、バッテリ１５から電力が常時供給され、イグニッションスイッチ１４がその操作ポジション（オフポジション、オンポジション）を検出可能に接続され、当該自動車のエンジンの回転数を検出する回転センサ１３や図示しないセンサやスイッチ等がそれらの信号を入力可能に接続される。
【００４１】
また、回転センサ１３からの検出信号に応じて制御装置１２によって駆動されるムーブメント５や、発光ダイオード７，８も、制御装置１２に接続される。
【００４２】
上述したように構成された本発明の第１実施形態によるコンビネーションメータ１の作動について説明する。
【００４３】
イグニッションスイッチ１４がオンされると、図３において、制御装置１２は、それを検出して作動を開始する。即ち、制御装置１２は、回転センサ１３からの出力信号に基づき、エンジンの回転数を算出し、これに対応した角度だけシャフト５１を回動させるように、ムーブメント５を駆動する。又、この時、制御装置１２は、発光ダイオード７、８を点灯させる。
【００４４】
点灯した発光ダイオード８の白色光は、リフレクタ９に導かれ、光拡散板１０で均一化されて、文字盤２を透過照明する。これにより、文字２１と目盛２２は、白色で発光表示され、高回転域の目盛２２ａは、赤色で発光表示され、文字２１と目盛２２の背景部分は、青色で表示される。
【００４５】
一方、点灯した発光ダイオード７の白色光は、図２中の矢印Ｐ２に示す光路に従って、リフレクタ９により指針３に導かれ、反射面３１ａと反射層３３で反射して、指針３を赤色で発光させる。
【００４６】
図１では、指針３は、凹部６２を指し示している。この場合、点灯した発光ダイオード７の白色光は、図２中の矢印Ｐ１に示す光路に従って、反射面３１ａで反射し、指針３の先端部３２から出射する。凹部６２がこの出射光を受け、反射像Ａがこの凹部６２に投影される。この反射像Ａは、図１において、指針３が指し示す凹部６２の略全域で金属調（銀色）に投影される。
【００４７】
一方、図１において、２点鎖線で示すように指針３が凹部６２以外の反射部６１を指し示している場合、図１と図２で示す反射像Ｂがこの指し示された反射部６１に投影される。
【００４８】
即ち、図１と図２で示すように、指針３の先端部３２が凹部６２を通過する毎に、反射像Ａの形状と反射像Ｂの形状の間で特に径方向（指針３の長手方向）に変化する。さらに、反射像Ａは、反射像Ｂに対して沈んだ位置で視認されるため、反射像は、立体的にも変化する。即ち、反射像の前後方向（図２の矢印に示す左右方向））の投影位置を識別可能に変化させる。
【００４９】
その結果、視認者は、その反射像の形状変化とその立体的変化の両者を、ピカピカと発光するアクセントとして驚きや楽しみを持って見ることができる。また、凹部６２を目盛２２の位置に配置させているため、視認性も向上できる。
【００５０】
以上説明した本発明の第１実施形態による指針計器であるコンビネーションメータ１では、指針３が基部３１より導入した発光ダイオード７の光を先端部３２から出射させる構造を有し、加飾リング６が、先端部３２から出射した光を受けて反射像が投影される反射部３１を有し、この反射像の形状等を変化させる凹部６２を反射部３１に設ける。これにより、視認者に驚きや楽しみを与える表示を実現できる。
【００５１】
（第２実施形態）
図４は、本発明の第２実施形態による指針計器であるコンビネーションメータ１の正面図である。
【００５２】
図５は、図４中のＶ−Ｖ線断面図である。
【００５３】
本発明の第２実施形態による指針計器であるコンビネーションメータ１では、第１実施形態と異なり、反射部６１の一部を構成する凹部６２の代わりに凸部６３を形成する。
【００５４】
図４では、指針３は、凸部６３以外の反射部６１を指し示している。この場合、点灯した発光ダイオード７の白色光は、図５中の矢印Ｐ１に示す光路に従って、反射面３１ａで反射し、指針３の先端部３２から出射する。この指し示された凸部６３以外の反射部６１がこの出射光を受け、反射像Ｂがこの反射部６１に投影される。この反射像Ｂは、図４において、斜線で示した領域Ｂで金属調（銀色）に投影される。
【００５５】
一方、図４において、２点鎖線で示すように指針３が凸部６３を指し示している場合、図４と図５で示す反射像Ａがこの指し示された凸部６３に投影される。
【００５６】
即ち、図４と図５で示すように、指針３の先端部３２が凹部６２を通過する毎に、出射光で投影される反射像Ａの形状と反射像Ｂの形状の間で特に径方向（指針３の長手方向）に変化する。さらに、反射像Ａは、反射像Ｂに対して浮いた位置で視認されるため、反射像は、立体的にも変化する。即ち、反射像の前後方向（図５の矢印に示す左右方向））の投影位置を識別可能に変化させる。
【００５７】
但し、第１実施形態の場合と反対に、反射像Ａの形状より反射像Ｂの形状の方が長い。さらに、第１実施形態の場合と反対に、反射像Ａは、反射像Ｂに対して浮いた位置で視認されるため、これらの反射像は、第１実施形態の場合と異なる立体的変化として視認される。
【００５８】
その結果、視認者は、その反射像の形状変化とその立体的変化の両者を、ピカピカと発光するアクセントとして第１実施形態の場合と異なる驚きや楽しみを持って見ることができる。
【００５９】
以上説明した本発明の第２実施形態による指針計器であるコンビネーションメータ１では、指針３が基部３１より導入した発光ダイオード７の光を先端部３２から出射させる構造を有し、加飾リング６が、先端部３２から出射した光を受けて反射像が投影される反射部３１を有し、この反射像の形状等を変化させる凸部６３を反射部３１に設ける。これにより、視認者に驚きや楽しみを与える表示を実現できる。
【００６０】
（第３実施形態）
図６は、本発明の第３実施形態による指針計器であるコンビネーションメータ１の正面図である。
【００６１】
本発明の第３実施形態による指針計器であるコンビネーションメータ１では、第１実施形態と異なり、凹部６２ａ、６２ｂを目盛２２として形成し、凹部６２ｂを凹部６２ａより短く形成する。また、凹部６２ｃを高回転域の目盛２２ａとして形成し、凹部６２ｃとその間の反射部６１とに赤色塗装を施す。
【００６２】
これにより、図６において、指針３の先端部３２が凹部６２ａ、６２ｂを通過する際、反射像Ａの形状と反射像Ｂの形状と反射像Ｃの形状の間で特に径方向（指針３の長手方向）に３種類で変化する。また、上述したように、これらの反射像は、立体的にも変化する。
【００６３】
さらに、高回転域の凹部６２ｃとその間の反射部６１とが赤色塗装されているため、この間の反射像は、赤色となる。このため、反射像は、金属調（銀色）と赤色の間で、色調（色相、明度、彩度）も変化する。
【００６４】
その結果、視認者は、その反射像の形状変化とその立体的変化に加えて色調の変化を、ピカピカと発光するアクセントとしてさらに驚きや楽しみを持って見ることができる。また、凹部６２ａ、６２ｂ、６２ｃを目盛２２，２２ａとして設けているため、視認性も向上できると共に、赤色の反射像により、視認者である運転者に注意を喚起することもできる。
【００６５】
即ち、本発明の第３実施形態による指針計器であるコンビネーションメータ１では、指針３が基部３１より導入した発光ダイオード７の光を先端部３２から出射させる構造を有し、加飾リング６が、先端部３２から出射した光を受けて反射像が投影される反射部３１を有し、この反射像の形状と色調等を変化させる目盛２２の形状を有する凹部６２ａ、６２ｂを反射部３１に設ける。これにより、視認者に対してより驚きや楽しみを与える表示を実現できる。
【００６６】
尚、高回転域でない凹部６２ａ、６２ｂを、例えば緑色塗装して、反射部６１の銀色と高回転域の凹部６２ｃの赤色と異なる色調としてもよい。これにより、視認者に対してより驚きや楽しみを与える表示を実現できる。
【００６７】
また、凹部６２、６２ａ、６２ｂ、６２ｃの形状を反射像Ｂの形状と近似させ、反射像を、立体的のみの変化として演出させてもよい。
【００６８】
尚、指針計器として回転計を形成しているが、これらに限る必要は無く、他の計器、例えばと速度計や燃料計等と置き換える、あるいは追加しても良い。
【図面の簡単な説明】
【００６９】
【図１】図１は、本発明の第１実施形態による指針計器であるコンビネーションメータ１の正面図である。
【図２】図２は、図１中のＩＩ−ＩＩ線断面図である。
【図３】図３は、本発明の第１実施形態によるコンビネーションメータ１の電気回路構成を説明する回路構成図である。
【図４】図４は、本発明の第２実施形態による指針計器であるコンビネーションメータ１の正面図である。
【図５】図５は、図４中のＶ−Ｖ線断面図である。
【図６】図６は、本発明の第３実施形態による指針計器であるコンビネーションメータ１の正面図である。
【符号の説明】
【００７０】
１    コンビネーションメータ（指針計器）
２    文字盤
２１    文字
２２    目盛
２２ａ    目盛
２３    貫通孔
３    指針
３１    基部
３１ａ  反射面
３２    先端部
３３    反射層
４    遮光キャップ
５    ムーブメント
５１    シャフト
６    加飾リング（加飾部材）
６１    反射部
６２ａ    凹部
６２ａ    凹部
６２ｂ    凹部
６２ｃ    凹部
６３    凸部
７    発光ダイオード（光源）
８    発光ダイオード
９    リフレクタ
１０    光拡散板
１１    プリント基板
１２    制御装置
１３    回転センサ
１４    イグニッションスイッチ
１５    バッテリ
Ａ    反射像
Ｂ    反射像
【図１】
2006145496.tif 000003
【図２】
2006145496.tif 000004
【図３】
2006145496.tif 000005
【図４】
2006145496.tif 000006
【図５】
2006145496.tif 000007
【図６】
2006145496.tif 000008